(57)【要約】【課題】光学的記録媒体に情報を記録中に線速度を変更し記録パワーを再設定する必要が有る場合に、線速度変更後の記録時のレーザパワーを最適な記録レーザパワーに再設定して、記録を行うことのできる光ディスク記録再生装置および光ディスク記録再生装置の記録再生方法を提供することを目的とする。【解決手段】光ディスクを半径方向に複数の領域に分割し、複数の領域毎に対応する線速度で試書を行い最適レーザパワー値を得る試書制御手段と、最適レーザーパワー値を試書値として線速度毎に保存する記憶手段と、線速度変更前の実記録において補正した最適レーザパワー値の最終値に，線速度変更後の試書値を線速度変更前の試書値で割った値を、掛けることで線速度変更後の試書値を修正した値を得て、この値を線速度変更後の記録レーザパワーに変更する制御手段とを具備する構成とする。【選択図】図１
2007193858.tif 000002
【特許請求の範囲】
【請求項１】
光ディスクを半径方向に複数の領域に分割し、前記複数の領域毎に対応する線速度で試書を行い最適記録レーザパワー値を得る試書制御手段と、
前記最適記録レーザーパワー値を試書値として前記線速度毎に保存する記憶手段と、
前記線速度変更前の実記録において補正した最適記録レーザパワー値の最終値に、前記線速度変更後の試書値を前記線速度変更前の試書値で割った値を掛けることで前記線速度変更後の試書値を修正した値を得て、この値を線速度変更後の記録レーザパワーに変更する制御手段とを具備することを特徴とする光ディスク記録再生装置。
【請求項２】
前記記憶手段は、前記試書制御手段による線速度毎の最適記録レーザパワー値を、線速度と最適記録レーザパワー値の対応テーブルとして記録層毎に前記記憶手段に記憶することを特徴とする請求項１記載の光ディスク記録再生装置。
【請求項３】
前記光ディスクの半径方向の内周方向から外周方向に記録する層では、前記光ディスク半径方向の複数領域の外周方向領域に向かうに従い線速度を上げ、前記光ディスク半径方向の複数領域の外周から内周方向に記録する層では、前記光ディスクの半径方向に向かうに従い線速度を下げて記録を行う記録制御手段を具備したことを特徴とする請求項１または請求項２記載の光ディスク記録再生装置。
【請求項４】
前記試書制御手段は、前記複数の領域毎に対応する線速度で試書による最適記録レーザパワーを求め、前記線速度が所定の閾値以下のときは、記録中の記録層での内周側試書領域に試書を行い最適記録レーザパワーを得、一方、前記線速度が前記所定の閾値を越えたときは記録中の記録層での外周側試書領域に試書を行い最適記録レーザパワーを得ることを特徴とする請求項１から請求項３のいづれか１項に記載の光ディスク記録再生装置。
【請求項５】
前記制御手段は、前記線速度変更後の最適記録レーザパワーを求める線速度記録前の最終値として設定する最適記録レーザパワーを、前記記憶手段に保持された前記線速度変化前での最適記録レーザパワーと、それより前で設定された一定個数の最適記録レーザパワー値を基にして変更することを特徴とする請求項１に記載の光ディスク記録再生装置。
【請求項６】
光ディスクを半径方向に複数の領域に分割し、前記複数の領域毎に対応する線速度で試書を行い最適記録レーザパワー値を得るステップと、
前記最適記録レーザーパワー値を試書値として前記線速度毎に保存するステップと、
前記線速度変更前の実記録において補正した最適記録レーザパワー値の最終値に、前記線速度変更後の試書値を前記線速度変更前の試書値で割った値を、掛けることで前記線速度変更後の試書値を修正した値を得て、この値を線速度変更後の記録レーザパワーに変更し記録するステップを有することを特徴とする光ディスク記録再生装置の記録再生方法。
【請求項７】
データ記録開始時には、初期値として記録開始時の線速度に対応した試書による最適記録レーザパワーを設定し記憶手段に格納するステップと、
前記最適記録レーザパワー格納後に記録を開始するステップと、
実記録時に最適記録レーザパワーを補正しながら記録を行うステップと、
記録途中で線速度が変化するとき、前記記憶手段から、変化後の線速度に対する試書による最適記録レーザパワーを現在の線速度に対する試書による最適記録レーザパワーとで割る記録レーザパワー比を取得するステップと、
線速度変更直前の前記実記録時に補正した最適記録レーザパワー値に前述の記録レーザパワー比を乗算することで求めるステップと、
線速度変更時に記録中断するステップと、
前記記録中断時に線速度を変更後、前記乗算結果による線速度変化後の記録レーザパワーを設定するステップと、
前記記録レーザパワーを設定した後、記録を再開することを特徴とする光ディスク記録再生装置の記録再生方法。
【発明の詳細な説明】
【技術分野】
【０００１】
本発明は、高倍速記録速度に対応した光ディスに対して記録を行う光ディスク記録再生装置および光ディスク記録再生装置の記録再生方法に関するものである。
【背景技術】
【０００２】
光学記録再生用媒体として、ＣＤ、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）、ＣＤ−Ｒ（書き込み可能なコンパクトディスク）、ＣＤ−ＲＷ（書き換え可能なコンパクトディスク）、記録型ＤＶＤ等の種々の光ディスクが開発されている。
【０００３】
記録型の光ディスクは、ユーザ要望により、光ディスクにデータを記録する記録速度が年々高速度化されてきている。特に記録型ＤＶＤは、多層化、高記録速度化が図られてきている。またＤＶＤは、映像を含んだ情報を記録するため、映像のコマ落ちなどが発生しないようにデータ転送を一定にするように決められている。
【０００４】
光ディスクに情報を記録する方法としては、データ転送を一定にするため光ディスクの内周部でも外周部でも一定の移動距離（以下、線速度と呼ぶ）になるＣＬＶ方式の記録方式が一般的である。ＣＬＶ記録方式では、回転している光ディスクの線速度が一定となるためには、ディスクの半径方向において、内周部と外周部では光ディスクの回転速度が異なり光ディスクの回転速度は最内周部分を最も高くする必要がある。しかし、薄型のノート型パーソナルコンピュータなどに搭載される光ディスクドライブでは、光ディスクを回転させるモータの小型化によりモータトルクに制限があり回転速度には限度があるため、記録方式も前記ＣＬＶ記録方式だけでなく、光ディスクの内周部でも外周部でも一定の角速度で記録するＣＡＶ方式、内周部から外周部へ段階的に線速度を可変するＺ−ＣＬＶ（ゾーンＣＬＶ）方式や段階的に角速度を可変するＺ−ＣＡＶ方式などが用いられるようになってきた。
【０００５】
また、光ディスク装置は所定のデータを記録する際に、使用する光ディスクに対して最適な記録レーザパワー決定のため、予め光ディスクの内周および、外周に設けられているＯＰＣ用の試書領域を使って試書を行い、その結果から得られる最適記録レーザパワー値を使い光ディスクのデータ領域を求めた記録レーザパワーにて記録することが一般的である。しかしながら、雰囲気温度が高い場合には光ディスク記録装置の温度上昇によるレーザ素子の温度上昇、レーザ素子自体の発熱により温度上昇も合わせて発生する。温度上昇によりレーザ光に波長変化が生じディスクの有機色素の感度が低下することで、見かけの記録パワーが低下する。従って、レーザ素子からのレーザパワーが最適記録レーザパワーから低下し、光ディスクに照射する記録パワーを記録開始前に行った試書による最適記録レーザパワーを設定するＯＰＣによる記録レーザパワー値を変更する必要がある。
【０００６】
また、記録がある程度進んだ時点ではランニングＯＰＣにより記録パワーの補正を行い最適記録レーザパワーを照射している。
【０００７】
図１１は従来の光ディスク装置のレーザ制御ブロック図である。図１１において、従来の光ディスクでの最適記録パワーを一定に保つランニングＯＰＣ処理について図１１を用いて説明する。
【０００８】
図１１において、１は光ディスク、２は光ピックアップモジュール、３はスピンドルモータ、４はレーザダイオード、５は対物レンズ、６は反射光受光手段、７は反射光演算手段、８は反射光検出手段、９は反射光Ａ／Ｄ変換手段、１０は反射光Ａ／Ｄ変換値演算手段、１１は反射光Ａ／Ｄ変換値比較手段、１２はレーザパワー制御手段、１３はレーザ駆動用電流変換手段、１４はレーザ駆動手段である。以上のような構成で実施するランニングＯＰＣ処理について説明する。
【０００９】
光ディスク１へ記録を開始すると、光ピックアップモジュール２内の反射光受光手段６は光ディスク１からの反射光を受光する。反射光演算手段７では、受光手段７が受光した信号を全加算し、全反射光信号（ＲＦ信号）を生成する。
【００１０】
図１２は、従来の光ディスク装置の記録中の反射光の受光信号の波形図である。
【００１１】
反射光Ａ／Ｄ変換手段９では、反射光検出手段８にて検出されたＲＦ信号の図１２のレベルＡ、Ｂ、Ｃ及びレベルｋの電圧値をデジタル信号へ変換し、反射光Ａ／Ｄ変換値演算手段１０にて、記録中の光ディスク１に照射されているパワーの熱効率の変化量として、演算される。ここで、図１２のレベルＡ、Ｂ、Ｃは、記録中にレーザパワーの熱で光ディスクの有機色素を熱分解している瞬間であり、熱分解が進行すればするほど、反射光量は減少するという特性をもっているため、記録パワーの光ディスク盤面への効率がよければ、レベルＣとなり、効率が悪くなればレベルＢ、Ａと上昇する。従って、反射光Ａ／Ｄ変換値比較手段１１では、図１２のレベルＡ、Ｂ及びレベルＣの差分を算出し、その差分を打ち消すパワー補正量を演算し、レーザパワー制御手段１２へ、補正パワー信号を出力する。レーザパワー制御手段１２は、実際にレーザパワーを可変させるデジタル信号を出力し、レーザ駆動用電流変換手段１３によって、電流値へと切り替えられ、レーザ駆動手段１４に伝達され、光ピックアップモジュール２内部のレーザダイオード４のレーザパワーが切り替わることで、記録中の最適記録パワーを一定に保つ制御となっている。
【００１２】
これらの光ディスクへ最適に記録する一例が（特許文献１）に述べられている。
【特許文献１】特開２００２−１２３９４２号公報
【発明の開示】
【発明が解決しようとする課題】
【００１３】
光ディスクの記録位置で線速度を変化させる記録方法で線速度を変化させ記録レーザパワーを再設定する場合には、予め求めている所望の線速度でのＯＰＣによる記録レーザパワーでの設定を用いれば、線速度変更後の実記録時の最適記録レーザパワーにならず記録再開時の記録品質が劣化してしまう課題があった。
【００１４】
本発明は、記録中に線速度を変更し記録パワーを再設定する必要が有る場合に、記録時のレーザパワーを最適記録レーザパワーに対し低下させることなく、記録の再開を行うことのできる光ディスク記録再生装置および光ディスク記録再生装置の記録再生方法を提供することを目的とする。
【課題を解決するための手段】
【００１５】
かかる問題を解決するため、光ディスクを半径方向に複数の領域に分割し、複数の領域毎に対応する線速度で試書を行い最適レーザパワー値を得る試書制御手段と、最適レーザーパワー値を試書値として線速度毎に保存する記憶手段と、線速度変更前の実記録において補正した最適レーザパワー値の最終値に、線速度変更後の試書値を線速度変更前の試書値で割った値を、掛けることで線速度変更後の試書値を修正した値を得て、この値を線速度変更後の記録レーザパワーに変更する制御手段とを具備する光ディスク記録再生装置であり、この光ディスク記録再生装置によれば、光ディスク記録前に予め複数の線速度にて試書により求めた最適記録レーザパワー値が、実記録時に周囲温度の変化や記録に伴う温度変化等による電気的オフセット発生、レーザ光の波長変動などにより最適でなくなったとしても、実記録時の補正されている最適レーザパワーにて、線速度変更後の最適記録レーザパワーを求めることができるようになるので、記録品質のよい光ディスク記録再生装置を提供できるようになる。
【発明の効果】
【００１６】
本発明の光ディスク装置は、記録中にレーザ素子自体の温度上昇が発生した場合においても、記録中に線速度が変化した場合の、記録レーザパワーの設定値を最適にすることで、記録再開時における記録品質劣化を防ぐことができる。
【発明を実施するための最良の形態】
【００１７】
請求項１記載の発明は、光ディスクを半径方向に複数の領域に分割し、複数の領域毎に対応する線速度で試書を行い最適レーザパワー値を得る試書制御手段と、最適レーザーパワー値を試書値として線速度毎に保存する記憶手段と、線速度変更前の実記録において補正した最適レーザパワー値の最終値に、線速度変更後の試書値を線速度変更前の試書値で割った値を、掛けることで線速度変更後の試書値を修正した値を得て、この値を線速度変更後の記録レーザパワーに変更する制御手段とを具備する光ディスク記録再生装置であって、この構成によれば、光ディスク記録前に予め複数の線速度にて試書により求めた最適記録レーザパワー値が、実記録時に周囲温度の変化や記録に伴う温度変化等による電気的オフセット発生、レーザ光の波長変動などにより最適でなくなったとしても、実記録時の補正されている最適レーザパワーにて、線速度変更後の最適記録レーザパワーを求めることができるようになるので、記録品質のよい光ディスク記録再生装置を提供できるようになる。
【００１８】
請求項２記載の発明は、記憶手段が、試書制御手段による線速度毎の最適記録レーザパワー値を、線速度と最適記録レーザパワー値の対応テーブルとして記録層毎に記憶手段に記憶することを特徴とする請求項１記載の光ディスク記録再生装置であり、記録層毎に線速度毎の最適レーザパワー値を記憶手段に格納しており、容易に最適レーザパワー値を設定できるようになる。
【００１９】
請求項３記載の発明は、光ディスクの半径方向の内周方向から外周方向に記録する層では、光ディスク半径方向の複数領域の外周方向領域に向かうに従い線速度を上げ、光ディスク半径方向の複数領域の外周から内周方向に記録する層では、光ディスクの半径方向に向かうに従い線速度を下げて記録を行う記録制御手段を具備したことを特徴とする請求項１または請求項２記載の光ディスク記録再生装置であり、層間の移動に伴う実記録の最適記録レーザパワーの品質の向上を図ることができるようになる。
【００２０】
請求項４記載の発明は、前記試書制御手段が、複数の領域毎に対応する線速度で試書による最適記録レーザパワーを求め、線速度が所定の閾値以下のときは、記録中の記録層での内周側試書領域に試書を行い最適記録レーザパワーを得、一方、線速度が所定の閾値を越えたときは記録中の記録層での外周側試書領域に試書を行い最適記録レーザパワーを得ることを特徴とする請求項１から請求項３のいづれか１項に記載の光ディスク記録再生装置であり、内周側および外周側の試書領域を使用することで、駆動トルクの小さなスピンドルモータにおいても容易に試書をすることができ、品質よく線速度変更後の最適記録レーザパワー値を求めることができるようになる。
【００２１】
請求項５記載の発明は、制御手段は、線速度変更後の最適記録レーザパワーを求める線速度記録前の最終値として設定する最適記録レーザパワーを、記憶手段に保持された線速度変化前での最適記録レーザパワーと、それより前で設定された一定個数の最適記録レーザパワー値を基にして決定することを特徴とする請求項１に記載の光ディスク記録再生装置であり、より品質よく線速度変更後の記録レーザパワーを求めることができるようになる。
【００２２】
請求項６記載の発明は、光ディスクを半径方向に複数の領域に分割し、複数の領域毎に対応する線速度で試書を行い最適記録レーザパワー値を得るステップと、最適記録レーザーパワー値を試書値として前記線速度毎に保存するステップと、線速度変更前の実記録において補正した最適記録レーザパワー値の最終値に、線速度変更後の試書値を線速度変更前の試書値で割った値を、掛けることで線速度変更後の試書値を修正した値を得て、この値を線速度変更後の記録レーザパワーに変更し記録するステップを有するする光ディスク記録再生装置の記録方法であり、この方法によれば、光ディスク記録前に予め複数の線速度にて試書により求めた最適記録レーザパワー値が、実記録時に周囲温度の変化等による電気的オフセット発生、レーザ光の波長変動などにより最適でなくなったとしても、実記録時の補正されている最適レーザパワー及び予め求めた最適記録レーザパワーにより、線速度変更後の最適記録レーザパワーを求めることができるようになるので、記録品質のよい光ディスク記録再生装置を提供できるようになる。
【００２３】
請求項７記載の発明は、データ記録開始時には、初期値として記録開始時の線速度に対応した試書による最適記録レーザパワーを設定し記憶手段に格納するステップと、最適記録レーザパワー格納後に記録を開始するステップと、実記録時に最適記録レーザパワーを補正しながら記録を行うステップと、記録途中で線速度が変化するとき、記憶手段から、変化後の線速度に対する試書による最適記録レーザパワーを現在の線速度に対する試書による最適記録レーザパワーとで割る記録レーザパワー比を取得するステップと、線速度変更直前の実記録時に補正した最適記録レーザパワー値に前述の記録レーザパワー比を乗算することで求めるステップと、線速度変更時に記録中断するステップと、記録中断時に線速度を変更後、乗算結果による線速度変化後の記録レーザパワーを設定するステップと、記録レーザパワーを設定した後、記録を再開することを特徴とする光ディスク記録再生装置の記録方法であり、この方法によれば、光ディスク記録前に予め複数の線速度にて試書により求めた最適記録レーザパワー値が、実記録時に周囲温度の変化等による電気的オフセット発生、レーザ光の波長変動などで最適でなくなったとしても、実記録時の補正されている最適レーザパワー及び予め求めた最適記録レーザパワーにより、線速度変更後の最適記録レーザパワーを求めることができるようになり、また線速度変更時の記録中断することで、記録データの情報の保持が加納であり記録品質のよい光ディスク記録再生装置を提供できるようになる。
【００２４】
（実施の形態）
以下、本発明の実施の形態について詳細に説明する。
【００２５】
図１は、本発明の実施の形態に係わる光ディスク記録再生装置の構成を示したブロック図である。
【００２６】
図１に示すように、光ディスク記録再生装置は、ピックアップモジュール２、スピンドルモータ３、レーザダイオード４、対物レンズ５、レーザパワー制御手段１２、レーザ駆動手段１４、レーザ駆動用電流変換手段１３、デジタルサーボコントローラー２８、メインメモリ２９、レーザパワー取得手段３０、ＣＰＵ３１、フォーカス駆動手段３３から構成されている。
【００２７】
光ピックアップ手段であるピックアップモジュール２は、レーザ発光素子であるレーザダイオード４を有し、光ディスク１のデータの書き込み、読み出し時にレーザ光を照射し記録または再生を行う。
【００２８】
ピックアップモジュール２はスピンドルモータ３を回転させ、同時に光ディスク１を回転させる。ピックアップモジュール２はフォーカス駆動手段３３に駆動値を与え、対物レンズ５を上下させる。ＣＰＵ３１はレーザパワー取得手段３０から記録レーザパワーを取得し、メインメモリ２９に保持する。
【００２９】
ＣＰＵ３１が記録レーザパワー値をレーザパワー制御手段１２に設定するとレーザパワーを可変させるデジタル信号を出力し、レーザ駆動用電流変換手段１３によって、電流値へと切り替えられ、レーザ駆動手段１４に伝達され、レーザダイオード４を光らせることができる。そして対物レンズ５からのレーザ光が光ディスク１に照射される。
【００３０】
光ディスク装置は光ディスク１が挿入されると、スピンドルモータ３を回転させ起動処理を開始し、フォーカスサーボ、トラッキングサーボ等を行う。光ディスク装置は、一連の起動処理が終了すると、記録動作へ移行する。まず、光ディスク１への最適な記録レーザパワーを求めるための、ＯＰＣ（Ｏｐｔｉｍｕｍ  Ｐｏｗｅｒ  Ｃａｌｉｂｒａｔｉｏｎ）動作を実行する。ＯＰＣでは記録レーザパワーを複数段階可変させながら試書し、試書された信号を再生させ、再生信号から最適記録パワーの算出を行う。
【００３１】
図２は、本発明の実施の形態に係わる光ディスク１の領域の構成を示す図である。複数の記録層のうち２層から成るメディアを一例に示している。
【００３２】
図２において、光ディスク１の第１層であるＬａｙｅｒ  ０の内周側から、内周ＯＰＣ領域であるＩｎｎｅｒ  Ｄｒｉｖｅ  Ａｒｅａ  ０領域２０１、リードイン領域であるＬｅａｄ−Ｉｎ  Ｚｏｎｅ領域２０２、データ領域であるＤａｔａ  Ｚｏｎｅ領域２０３、ＯＰＣ領域とデータ領域を分離するためのＭｉｄｄｌｅ  Ｚｏｎｅ  ０領域２０４、外周でのＯＰＣ領域であるＯｕｔｅｒ  Ｄｒｉｖｅ  Ａｒｅａ  ０領域２０５、また、第２層であるＬａｙｅｒ  １の内周側から、内周でのＯＰＣ領域であるＩｎｎｅｒ  Ｄｒｉｖｅ  Ａｒｅａ  １領域２０６、リードアウト領域であるＬｅａｄ−Ｏｕｔ  Ｚｏｎｅ領域２０７、データ領域であるＤａｔａ  Ｚｏｎｅ領域２０８、前記ＯＰＣ領域とデータ領域を分離するためのＭｉｄｄｌｅ  Ｚｏｎｅ  １領域２０９、外周でのＯＰＣ領域であるＯｕｔｅｒ  Ｄｒｉｖｅ  Ａｒｅａ  １領域２１０で構成している。
【００３３】
Ｉｎｎｅｒ  Ｄｒｉｖｅ  Ａｒｅａ  ０領域２０１は、ＯＰＣを実施するＩｎｎｅｒ  Ｄｉｓｃ  Ｔｅｓｔ  Ｚｏｎｅ領域２０１ａ、ＯＰＣの回数を記録するＩｎｎｅｒ  Ｄｉｓｃ  Ｃｏｕｎｔ  Ｚｏｎｅ領域２０１ｂ、また、Ｉｎｎｅｒ  Ｄｒｉｖｅ  Ａｒｅａ  １領域２０６は、ＯＰＣを実施するＩｎｎｅｒ  Ｄｉｓｃ  Ｔｅｓｔ  Ｚｏｎｅ領域２０６ａ、ＯＰＣの回数を記録するＩｎｎｅｒ  Ｄｉｓｃ  Ｃｏｕｎｔ  Ｚｏｎｅ領域２０６ｂから構成され、Ｏｕｔｅｒ  Ｄｒｉｖｅ  Ａｒｅａ  ０領域２０５は、ＯＰＣの回数を記録するＯｕｔｅｒ  Ｄｉｓｃ  Ｃｏｕｎｔ  Ｚｏｎｅ領域２０５ｂ、ＯＰＣを実施するＯｕｔｅｒ  Ｄｉｓｃ  Ｔｅｓｔ  Ｚｏｎｅ領域２０５ａから、Ｏｕｔｅｒ  Ｄｒｉｖｅ  Ａｒｅａ  １領域２１０は、ＯＰＣの回数を記録するＯｕｔｅｒ  Ｄｉｓｃ  Ｃｏｕｎｔ  Ｚｏｎｅ領域２１０ｂ、ＯＰＣを実施するＯｕｔｅｒ  Ｄｉｓｃ  Ｔｅｓｔ  Ｚｏｎｅ領域２１０ａから構成している。
【００３４】
図３は、本発明の実施の形態に係わる層種別毎にＯＰＣ領域と線速度別の最適記録レーザパワーを示す図である。
【００３５】
例えば、Ｌａｙｅｒ０における線速度Ｎ１倍速で実施されるＯＰＣはＩｎｎｅｒ  Ｄｒｉｖｅ  Ａｒｅａ  ０領域を用いて行われ、その結果得られる最適記録レーザパワーは、Ｐ０Ｎ１としてメインメモリ２９に保存される。
【００３６】
図３に従いＯＰＣが実施され線速度に応じた最適記録レーザパワーが求められ、メインメモリ２９に保存される。
【００３７】
なお、図３においては、線速度Ｎ１倍速のＯＰＣを内周ＯＰＣ領域であるＩｎｎｅｒ  Ｄｒｉｖｅ  Ａｒｅａ  領域で実施し、線速度がＮ２倍速、Ｎ３倍速およびＮ４倍速を外周ＯＰＣ領域であるＯｕｔｅｒ  Ｄｒｉｖｅ  Ａｒｅａ  にて実施する例で説明したが、線速度の閾値を設定して、所望の閾値以下では内周ＯＰＣ領域で、閾値を越えたら外周ＯＰＣ領域でＯＰＣを実施する。
【００３８】
図４は、本発明の実施の形態に係わるＯＰＣによる最適記録レーザパワーを用い、決定される記録レーザパワー比について説明した図である。
【００３９】
Ｄａｔａ  Ｚｏｎｅ記録時の変化前線速度とＤａｔａ  Ｚｏｎｅ記録時の変化後線速度が所定の値の場合に、それぞれに対応する図３で示した線速度と同じ速度でのＯＰＣによる最適記録レーザパワーを用い、決定される記録レーザパワー比について説明した図である。例えば、線速度切り替えアドレスＡ１で、Ｌａｙｅｒ０におけるＤａｔａ  Ｚｏｎｅ記録時の変化前線速度がＮ１倍速、Ｄａｔａ  Ｚｏｎｅ記録時の変化後線速度がＮ２倍速である場合、パワー補正係数は、図３のＰ０Ｎ２とＰ０Ｎ１の記録レーザパワー比であるＰ０Ｎ２／Ｐ０Ｎ１を計算することで求める。
【００４０】
Ｌａｙｅｒ１の内周側においては、線速度切り替えアドレスＡ６において、Ｄａｔａ  Ｚｏｎｅ記録時の変化前線速度がＮ２倍速、Ｄａｔａ  Ｚｏｎｅ記録時の変化後線速度がＮ１倍速の時であり、この場合の記録レーザパワー比は、Ｐ１Ｎ１とＰ１Ｎ２の比であるＰ１Ｎ１／Ｐ１Ｎ２を計算することで求め、記録レーザパワー比はメインメモリ２９に保存される。
【００４１】
図５は、本発明の実施の形態に係わる線速度と記録レーザパワーの説明図である。
【００４２】
図５に示すように、光ディスク１への記録は、Ｌａｙｅｒ０からＬａｙｅｒ１に連続記録を行う場合に、第１層であるＬａｙｅｒ０では、内周から外周に向かって記録を行い、Ｌａｙｅｒ０のＤａｔａ  Ｚｏｎｅを全て記録終了後に、第２層であるＬａｙｅｒ１へ移り、Ｌａｙｅｒ１では外周から内周に向かって記録を行っている。
【００４３】
図５の実線で示した階段状の記録レーザパワーは、ランニングＯＰＣ実行により求めた記録レーザパワーであり、各線速度の変化直前の記録レーザパワー、例えばＬａｙｅｒ０のＮ１倍速では記録レーザパワーの最終値ＰＢ１、Ｌａｙｅｒ０のＮ２倍速では記録レーザパワーの最終値ＰＢ２、というように線速度変化直前にて、ランニングＯＰＣ実行により求めた記録レーザパワーの最終値ＰＢ１からＰＢ６が決定されている。
【００４４】
これらの最終値の記録レーザパワーＰＢ１からＰＢ２はメインメモリ２９に保存される。
【００４５】
次に線速度を変更するには記録を中断し線速度を変更した後、線速度変更後の記録レーザパワーを設定し記録を再開する。例えば、Ｌａｙｅｒ０にてＮ１倍速で記録時のランニングＯＰＣ実行時の最終記録レーザパワーはＰＢ１であるので、線速度を変更するために記録を中断し線速度をＮ２倍速に変更する際には、記録レーザパワーＰＡ１を設定後に記録を再開する。線速度をＮ２倍速に変更するには、ＰＡ１＝ＰＢ１×（Ｐ０Ｎ２／Ｐ０Ｎ１）を計算することで求める。同様にして、ＰＡ２からＰＡ６まで求めることができる。
【００４６】
図６は、本発明の実施の形態に係わるランニングＯＰＣ実行により求めた記録レーザパワーのテーブルを示す図である。
【００４７】
図６においては、一定周期で最適記録レーザパワーを取得した線速度変化前の最適記録レーザパワーと、それより前で設定された一定個数の最適記録レーザパワー値を保持しておくテーブルを示している。線速度変化前の記録レーザパワーの最終値ＰＢ１からＰＢ６は、次のようにして求めている。
【００４８】
ランニングＯＰＣ実行により求めた線速度変化前の最適記録レーザパワーと、それより前で設定された一定個数の最適記録レーザパワー値を基に決定している。例えばＴ２、Ｔ１、Ｔ０の値の関係がＴ２≧Ｔ１≧Ｔ０、またはＴ２≦Ｔ１≦Ｔ０ならば線速度変化前の最適記録レーザパワーをＴ０とし、Ｔ２≦Ｔ１≧Ｔ０、またはＴ２≧Ｔ１≦Ｔ０ならば線速度変化前の最適記録レーザパワーはＴ０、Ｔ１、Ｔ２の平均値とする。
【００４９】
次に光ディスク記録装置の線速度と同じ速度でのＯＰＣによる最適記録レーザパワー取得動作、および記録を中断し線速度が変化した時の記録レーザパワー計算と設定動作について、フローチャートを用いて説明する。
【００５０】
図７は、本発明の実施の形態に係わる線速度と記録レーザパワーの処理手順図である。
【００５１】
図７において、光ディスク記録再生装置は、記録動作では、ＯＰＣ開始処理（Ｓ１１）をし、データ記録実行処理（Ｓ１２）をする。
【００５２】
図８は、本発明の実施の形態に係わる光ディスク記録再生装置のＯＰＣ時の動作の処理手順図である。
【００５３】
図８は、図７のＯＰＣ開始処理（Ｓ１１）の詳細内容を説明しており、図３の表に示される線速度にあわせた最適記録レーザパワーを取得するフローを示している。
【００５４】
まず、図３の層種別とＯＰＣ実施領域を参照し、ＯＰＣ実施領域にピックアップモジュール２を移動する（Ｓ２１）。次に目的の記録倍速になるように、線速度の変更を行いＯＰＣを実施し（Ｓ２２）、最適記録レーザパワーの取得を行いメインメモリ２９に保存する（Ｓ２３）。この最適記録レーザパワーは図３で示す変数Ｐ０Ｎ１からＰ１Ｎ４に示すように線速度に対応づけられて保存される。全てのＯＰＣが実施されたかどうかを判定し（Ｓ２４）、全てのＯＰＣが実施されたらＯＰＣ処理を終了し、ＯＰＣの処理が残っていたらＳ２１に戻る。
【００５５】
図９は、本発明の実施の形態に係わるデータ記録実行の処理手順図である。
【００５６】
図９では、図７のデータ記録実行（Ｓ１２）の詳細内容を説明しており、データ記録時の動作について説明している。
【００５７】
ホストコンピュータ４０からの要求アドレスを受信しホストコンピュータ４０から要求された記録最終論理アドレスの読み出しを行う（Ｓ３１）。次に現在の記録アドレスを取得（Ｓ３２）し、記録最終論理アドレスと現在の記録アドレスが一致したら記録の終了を行い（Ｓ３３）、データ記録実行サブルーチンを終了させる（Ｓ４０）。記録最終論理アドレスと現在記録アドレスが一致しない場合には、現在の記録アドレスから現在の層種別と現在の線速度（変更前線速度）が得られるから、図４を参照することで、現在の線速度の線速度切り替えアドレスを取得する（Ｓ３４）。現在の記録アドレスが前記の線速度切り替えアドレスに一致した場合（Ｓ３５）には、記録を中断（Ｓ３６）し、線速度を変化後線速度に変更（Ｓ３７）し、記録パワーを設定するために、記録パワー設定処理（Ｓ３８）を行う。記録パワー処理（Ｓ３８）にて記録パワーの設定が終了すると、中断した次の記録アドレスから記録の開始を行い（Ｓ３９）、Ｓ３１に戻り処理を続ける。
【００５８】
現在の記録アドレスが前記の線速度切り替えアドレスに一致しなかった場合（Ｓ３５）には、（Ｓ３１）に戻り記録を続ける。
【００５９】
図１０は、本発明の実施の形態に係わる記録パワー設定処理を示した図である。
【００６０】
図９から呼び出される記録パワー設定処理について説明したものである。まず、図４のランニングＯＰＣ最終記録レーザパワーにより変化前線速度の最終記録レーザパワーの取得を行い（Ｓ４１）、現在の記録アドレスから得られた層種別と変化前線速度と変化後速度を用い、図４を参照し、記録レーザパワー比の取得を行う（Ｓ４２）。それから、変化後線速度の記録レーザパワーを取得（Ｓ４３）するため、（Ｓ４１）で得られた変化前線速度の最終記録レーザパワーと（Ｓ４２）で得られた記録レーザパワー比を乗算する。求められた、変化後線速度の記録レーザパワーは図１のレーザ駆動手段１４にて、変化後速度の記録レーザパワーとして設定される（Ｓ４４）。
【産業上の利用可能性】
【００６１】
本発明によれば、記録中にレーザ素子自体の温度上昇が発生した場合においても、記録中に線速度が変化した場合の、記録レーザパワーの設定値を最適にすることができるため、高品質の情報を記録再生する必要があるコンピュータ等に用いられる光学的記録媒体の記録再生装置ならびに記録再生方法として利用可能である。
【図面の簡単な説明】
【００６２】
【図１】本発明の実施の形態に係わる光ディスク記録再生装置の構成を示したブロック図
【図２】本発明の実施の形態に係わる光ディスクの領域の構成を示す図
【図３】本発明の実施の形態に係わる層種別毎にＯＰＣ領域と線速度別の最適記録レーザパワーを示す図
【図４】本発明の実施の形態に係わるＯＰＣによる最適記録レーザパワーを用い、決定される記録レーザパワー比について説明した図
【図５】本発明の実施の形態に係わる線速度と記録レーザパワーの説明図
【図６】本発明の実施の形態に係わるランニングＯＰＣ実行により求めた記録レーザパワーのテーブルを示す図
【図７】本発明の実施の形態に係わる線速度と記録レーザパワーの処理手順図
【図８】本発明の実施の形態に係わる光ディスク記録再生装置のＯＰＣ時の動作の処理手順図
【図９】本発明の実施の形態に係わるデータ記録実行の処理手順図
【図１０】本発明の実施の形態に係わる記録パワー設定処理を示した図
【図１１】従来の光ディスク装置のレーザ制御ブロック図
【図１２】従来の光ディスク装置の記録中の反射光の受光信号の波形図
【符号の説明】
【００６３】
１    光ディスク
２    ピックアップモジュール
３    スピンドルモータ
４    レーザダイオード
５    対物レンズ
６    反射光受光手段
７    反射光演算手段
８    反射光検出手段
９    反射光Ａ／Ｄ変換手段
１０    反射光Ａ／Ｄ変換値演算手段
１１    反射光Ａ／Ｄ変換値比較手段
１２    レーザパワー制御手段
１３    レーザ駆動用電流変換手段
１４    レーザ駆動手段
２６    レーザ駆動手段
２７    レーザ駆動用電流変換手段
２８    デジタルサーボコントローラ
２９    メインメモリ
３０    レーザパワー取得手段
３１    ＣＰＵ
３３    フォーカス駆動手段
２０１    Ｉｎｎｅｒ  Ｄｒｉｖｅ  Ａｒｅａ  ０領域
２０２    Ｌｅａｄ−Ｉｎ  Ｚｏｎｅ領域
２０３    Ｄａｔａ  Ｚｏｎｅ領域
２０４    Ｍｉｄｄｌｅ  Ｚｏｎｅ  ０領域
２０５    Ｏｕｔｅｒ  Ｄｒｉｖｅ  Ａｒｅａ  ０領域
２０６    Ｉｎｎｅｒ  Ｄｒｉｖｅ  Ａｒｅａ  １領域
２０７    Ｌｅａｄ−Ｏｕｔ  Ｚｏｎｅ領域
２０８    Ｄａｔａ  Ｚｏｎｅ領域
２０９    Ｍｉｄｄｌｅ  Ｚｏｎｅ  １領域
２１０    Ｏｕｔｅｒ  Ｄｒｉｖｅ  Ａｒｅａ  １領域
２０１ａ    Ｉｎｎｅｒ  Ｄｉｓｃ  Ｔｅｓｔ  Ｚｏｎｅ領域
２０１ｂ    Ｉｎｎｅｒ  Ｄｉｓｃ  Ｃｏｕｎｔ  Ｚｏｎｅ領域
２０５ａ    Ｏｕｔｅｒ  Ｄｉｓｃ  Ｔｅｓｔ  Ｚｏｎｅ領域
２０５ｂ    Ｏｕｔｅｒ  Ｄｉｓｃ  Ｃｏｕｎｔ  Ｚｏｎｅ領域
２０６ａ    Ｉｎｎｅｒ  Ｄｉｓｃ  Ｔｅｓｔ  Ｚｏｎｅ領域
２０６ｂ    Ｉｎｎｅｒ  Ｄｉｓｃ  Ｃｏｕｎｔ  Ｚｏｎｅ領域
２１０ａ    Ｏｕｔｅｒ  Ｄｉｓｃ  Ｔｅｓｔ  Ｚｏｎｅ領域
２１０ｂ    Ｏｕｔｅｒ  Ｄｉｓｃ  Ｃｏｕｎｔ  Ｚｏｎｅ領域
【図１】
2007193858.tif 000003
【図２】
2007193858.tif 000004
【図３】
2007193858.tif 000005
【図４】
2007193858.tif 000006
【図５】
2007193858.tif 000007
【図６】
2007193858.tif 000008
【図７】
2007193858.tif 000009
【図８】
2007193858.tif 000010
【図９】
2007193858.tif 000011
【図１０】
2007193858.tif 000012
【図１１】
2007193858.tif 000013
【図１２】
2007193858.tif 000014